(57)【特許請求の範囲】
【請求項１】
ＬＥＤモジュールと、第１レンズ部材と、第２レンズ部材と、光制御部材とを備え、
前記ＬＥＤモジュールは、プリント配線板と、前記プリント配線板の実装面に実装されている複数のＬＥＤとを有し、
前記第１レンズ部材は、複数の第１レンズと、前記複数の第１レンズを支持する第１支持部とを有し、
複数の前記第１レンズのそれぞれは、前記複数のＬＥＤのなかで、対応する１つの前記ＬＥＤから放射される放射光を集光する集光部と、前記集光部の周囲に配置されている反射部とを有し、
前記反射部は、前記集光部で集光されない前記放射光を、前記集光部で集光された集光光と交差する向きに反射するように構成され、
前記光制御部材は、前記集光光及び前記反射部で反射された反射光を透過させない遮光部と、前記遮光部に囲われている複数の透過部とを有し、
複数の前記透過部のそれぞれは、前記複数の第１レンズのなかで、対応する１つの前記第１レンズから出射される前記集光光及び前記反射光を透過させるように構成され、
前記第２レンズ部材は、複数の第２レンズと、前記複数の第２レンズを支持する第２支持部とを有し、
複数の前記第２レンズのそれぞれは、前記複数の透過部のなかで、対応する１つの前記透過部を透過した前記集光光及び前記反射光を屈折させるように構成されており、
前記光制御部材は、前記第１レンズ部材と対向する位置に配置されている第１光制御部材と、前記第２レンズ部材と対向する位置に配置されている第２光制御部材とを少なくとも含み、
前記第１光制御部材は、前記集光光及び前記反射光を透過させない第１遮光部と、前記第１遮光部に囲われている複数の第１透過部とを有し、
前記第２光制御部材は、前記集光光及び前記反射光を透過させない第２遮光部と、前記第２遮光部に囲われている複数の第２透過部とを有していることを特徴とする照明装置。
【請求項２】
複数の前記第１透過部のそれぞれは、前記複数の第１レンズのなかで、対応する１つの前記第１レンズから出射される前記集光光及び前記反射光を透過させるように構成され、
複数の前記第２透過部のそれぞれは、前記複数の第１透過部のなかで、対応する１つの前記第１透過部を透過した前記集光光及び前記反射光をさらに透過させるように構成されていることを特徴とする請求項１記載の照明装置。
【請求項３】
前記第１光制御部材は、複数の第１筒部を有し、
複数の前記第１筒部のそれぞれは、前記第１遮光部から前記第２光制御部材に向かって突出するように形成され、
さらに、複数の前記第１筒部のそれぞれは、前記複数の第１透過部のなかで、対応する１つの前記第１透過部を囲うように筒状に形成され、
前記第２光制御部材は、複数の第２筒部を有し、
複数の前記第２筒部のそれぞれは、前記第２遮光部から前記第１光制御部材に向かって突出するように形成され、
さらに、複数の前記第２筒部のそれぞれは、前記複数の第２透過部のなかで、対応する１つの前記第２透過部を囲うように筒状に形成されていることを特徴とする請求項１又は２記載の照明装置。
【請求項４】
複数の前記第２筒部のそれぞれは、前記複数の第１筒部のなかで、対応する１つの前記第１筒部と、所定の間隔を空けて対向していることを特徴とする請求項３記載の照明装置。
【請求項５】
複数の前記第１筒部のそれぞれの表面の色は、少なくとも黒色に比べて太陽光を吸収しにくい色であることを特徴とする請求項４記載の照明装置。
【請求項６】
前記第１透過部及び前記第２透過部の少なくともいずれか一方は、前記集光光及び前記反射光の一部を遮光する形状に形成されていることを特徴とする請求項３〜５のいずれか１項に記載の照明装置。
【請求項７】
移動レンズ部材と、前記移動レンズ部材を前記集光光及び前記反射光の進行方向に沿って移動させる移動機構とを備え、
前記移動レンズ部材は、複数の移動レンズと、前記複数の移動レンズを支持する移動支持部とを有し、
複数の前記移動レンズのそれぞれは、前記複数の第２レンズのなかで、対応する１つの前記第２レンズで屈折された前記集光光及び前記反射光をさらに屈折させるように構成されていることを特徴とする請求項１又は２記載の照明装置。
【発明の詳細な説明】
【技術分野】
【０００１】
本発明は、照明装置に関する。
【背景技術】
【０００２】
従来、ＬＥＤ（発光ダイオード）を光源とする照明装置があった（特許文献１参照）。特許文献１記載の照明装置は、箱状の筐体、光源、コリメータレンズ部、フライアイレンズなどを備えている。筐体は、円形の窓孔が開口する天板と、天板の両端から垂直に突出する一対の側板と、一対の側板を連結し、かつ、天板と平行に配置される底板とを有している。底板には、窓孔よりも径の小さい複数の透孔がマトリクス状に配置されている。光源は、矩形板状の回路基板と、回路基板に実装された複数個の砲弾型のＬＥＤとを有している。これら複数個のＬＥＤの先端部は、底板の複数の透孔にそれぞれ挿入されている。
【０００３】
特許文献１記載の照明装置は、光源から出射される光を、コリメータレンズ部で平行光に変換してフライアイレンズに導くように構成されている。
【先行技術文献】
【特許文献】
【０００４】
【特許文献１】特開２００５−２５９６５３号公報
【発明の概要】
【発明が解決しようとする課題】
【０００５】
近年、照明用のＬＥＤは、表面実装型のＬＥＤやＣＯＢ（Chip On Board）型のＬＥＤが主流となっている。しかしながら、このような表面実装型やＣＯＢ型のＬＥＤが光源に用いられる場合、特許文献１に記載されている構成では、ＬＥＤから放射される光の利用効率の向上、並びに照明光の均斉度の向上を図ることが困難であった。
【０００６】
本発明の目的は、ＬＥＤから放射される光の利用効率の向上、並びに照明光の均斉度の向上を図ることが可能な照明装置を提供することである。
【課題を解決するための手段】
【０００７】
本発明の一態様に係る照明装置は、ＬＥＤモジュールと、第１レンズ部材と、第２レンズ部材と、光制御部材とを備えている。前記ＬＥＤモジュールは、プリント配線板と、前記プリント配線板の実装面に実装されている複数のＬＥＤとを有している。前記第１レンズ部材は、複数の第１レンズと、前記複数の第１レンズを支持する第１支持部とを有している。複数の前記第１レンズのそれぞれは、前記複数のＬＥＤのなかで、対応する１つの前記ＬＥＤから放射される放射光を集光する集光部と、前記集光部の周囲に配置されている反射部とを有している。前記反射部は、前記集光部で集光されない前記放射光を、前記集光部で集光された集光光と交差する向きに反射するように構成されている。前記光制御部材は、前記集光光及び前記反射部で反射された反射光を透過させない遮光部と、前記遮光部に囲われている複数の透過部とを有している。複数の前記透過部のそれぞれは、前記複数の第１レンズのなかで、対応する１つの前記第１レンズから出射される前記集光光及び前記反射光を透過させるように構成されている。前記第２レンズ部材は、複数の第２レンズと、前記複数の第２レンズを支持する第２支持部とを有している。複数の前記第２レンズのそれぞれは、前記複数の透過部のなかで、対応する１つの前記透過部を透過した前記集光光及び前記反射光を屈折させるように構成されている。前記光制御部材は、前記第１レンズ部材と対向する位置に配置されている第１光制御部材と、前記第２レンズ部材と対向する位置に配置されている第２光制御部材とを少なくとも含む。前記第１光制御部材は、前記集光光及び前記反射光を透過させない第１遮光部と、前記第１遮光部に囲われている複数の第１透過部とを有している。前記第２光制御部材は、前記集光光及び前記反射光を透過させない第２遮光部と、前記第２遮光部に囲われている複数の第２透過部とを有している。
【発明の効果】
【０００８】
本発明は、ＬＥＤから放射される光の利用効率の向上、並びに照明光の均斉度の向上を図ることが可能な照明装置を提供することができるという効果がある。
【図面の簡単な説明】
【０００９】
【図１】図１は、本発明の実施形態１に係る照明装置の分解斜視図である。
【図２】図２は、同上の照明装置の正面図である。
【図３】図３は、同上の照明装置の平面図である。
【図４】図４は、同上の照明装置の左側面図である。
【図５】図５は、同上の照明装置の断面図である。
【図６】図６は、同上の照明装置の要部の断面図である。
【図７】図７は、同上の照明装置の変形例の斜視図である。
【図８】図８は、同上の照明装置の変形例の断面図である。
【図９】図９Ａは、同上の照明装置を用いた照明器具の正面図であり、図９Ｂは、同上の照明装置を用いた照明器具の側面図である。
【図１０】図１０は、同上の照明器具における照明ユニットの斜視図である。
【図１１】図１１は、本発明の実施形態２に係る照明装置の分解斜視図である。
【図１２】図１２は、同上の実施形態２に係る照明装置の斜視図である。
【図１３】図１３は、同上の実施形態２に係る照明装置を示し、天板を省略した平面図である。
【図１４】図１４は、同上の実施形態２に係る照明装置を示し、天板とハンドルを省略した平面図である。
【発明を実施するための形態】
【００１０】
以下の実施形態は、照明装置に関し、特にＬＥＤを備える照明装置に関する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
（実施形態１）
実施形態１に係る照明装置Ｘ１（以下、照明装置Ｘ１と略す）は、図１〜図５に示すように、ＬＥＤモジュール１０と、第１レンズ部材１１と、光制御部材１２と、第２レンズ部材１３とを備えている。また、照明装置Ｘ１は、支持部材１４を備えることが好ましい。なお、以下の説明では、特に断りのない限り、図１において、前後、左右、上下の各方向が規定されている。
【００１２】
ＬＥＤモジュール１０は、矩形板状のプリント配線板１０１と、複数個（図示例では２２個）のＬＥＤ１００とを有している（図１参照）。ただし、ＬＥＤ１００の個数は２２個に限定されない。プリント配線板１０１の四隅に、それぞれ円形の貫通孔１０１０が形成されている。ただし、左上隅の貫通孔１０１０の一部が切り欠かれている。ＬＥＤ１００は、例えば、青色光を放射するＬＥＤチップと、ＬＥＤチップを収容する表面実装型のパッケージと、パッケージの一面から突出する樹脂部１０００とを有している（図５参照）。樹脂部１０００は、シリコーン樹脂のような透光性を有する合成樹脂によって半球状に形成されている。また、樹脂部１０００は、青色光を黄色光に変換する蛍光体が混入されている。したがって、ＬＥＤチップから放射される青色光の一部が蛍光体によって黄色光に変換される。つまり、ＬＥＤ１００は、青色光と黄色光を混色させることによって、白色光を放射するように構成されている。これら２２個のＬＥＤ１００は、プリント配線板１０１の前面に形成されているパッドにはんだ接合されることによって、プリント配線板１０１の前面（以下、実装面という）に実装されている。また、プリント配線板１０１の実装面には、２つのレセプタクルコネクタ１０２が実装されることが好ましい（図１参照）。これら２つのレセプタクルコネクタ１０２のそれぞれは、プリント配線板１０１の実装面に形成されているプリント配線（導体）を介して、１１個ずつのＬＥＤ１００の直列回路と電気的に接続されている。
【００１３】
第１レンズ部材１１は、ＬＥＤ１００と同数（２２個）の第１レンズ１１０と、第１支持部１１３とを有している（図１参照）。第１支持部１１３は、複数の第１レンズ１１０を支持している。これら２２個の第１レンズ１１０はそれぞれ、集光部１１１と反射部１１２を有している（図５参照）。集光部１１１は、コリメートレンズであることが好ましい。反射部１１２は、集光部１１１の入射面の周囲を囲むように筒状に形成されることが好ましい。反射部１１２は、入射した光を内部全反射（internal total reflection）するように構成されることが好ましい。複数の第１レンズ１１０と第１支持部１１３は、アクリル樹脂などの透光性を有する合成樹脂材料によって一体に形成されていることが好ましい。
【００１４】
第２レンズ部材１３は、ＬＥＤ１００と同数（２２個）の第２レンズ１３０と、第２支持部１３１とを有している（図１参照）。第２支持部１３１は、複数の第２レンズ１３０を支持している。これら２２個の第２レンズ１３０はそれぞれ、平凸レンズであることが好ましい（図３〜図５参照）。複数の第２レンズ１３０と第２支持部１３１は、アクリル樹脂などの透光性を有する合成樹脂材料によって一体に形成されていることが好ましい。
【００１５】
光制御部材１２は、少なくとも、第１光制御部材１２０と第２光制御部材１２１とを含むことが好ましい（図１、図３〜図５参照）。第１光制御部材１２０は、第１遮光部１２００と、第１レンズ１１０と同数（２２個）の第１透過部１２０１とを有している。第１光制御部材１２０は、第１透過部１２０１と同数（２２個）の第１筒部１２０２をさらに有することが好ましい。第１遮光部１２００は、ＬＥＤ１００から放射される光を透過しない材料（例えば、透光性を有しない合成樹脂）によって、平板状に形成されていることが好ましい。複数の第１透過部１２０１のそれぞれは、第１遮光部１２００を厚み方向に貫通する円形の孔であることが好ましい（図５参照）。また、複数の第１筒部１２０２のそれぞれは、第１遮光部１２００の前面において、複数の第１透過部１２０１のそれぞれの縁から前方へ突出していることが好ましい。さらに、複数の第１筒部１２０２のそれぞれは、円管状であって、かつ、前方に向かうに連れて徐々に管径を小さくした形状に形成されていることが好ましい（図５参照）。第１光制御部材１２０は、３つの第１ボス１２０３をさらに有していることが好ましい（図１参照）。これら３つの第１ボス１２０３は、円筒形状であって、第１遮光部１２００の前面から前方へ突出ている。なお、第１遮光部１２００、複数の第１筒部１２０２及び３つの第１ボス１２０３は、合成樹脂によって一体に形成されていることが好ましい。また、複数の第１透過部１２０１及び複数の第１筒部１２０２の内周面は、シボ（微細な凹凸：surface texture）などが形成されて光を拡散するように構成されていることが好ましい。
【００１６】
第２光制御部材１２１は、第２遮光部１２１０と、第１透過部１２０１と同数（２２個）の第２透過部１２１１とを有している。第２光制御部材１２１は、第２透過部１２１１と同数（２２個）の第２筒部１２１２をさらに有することが好ましい。第２遮光部１２１０は、ＬＥＤ１００から放射される光を透過しない材料（例えば、透光性を有しない合成樹脂）によって、平板状に形成されていることが好ましい。複数の第２透過部１２１１のそれぞれは、第２遮光部１２１０を厚み方向に貫通する円形の孔であることが好ましい（図１及び図５参照）。また、複数の第２筒部１２１２のそれぞれは、第２遮光部１２１０の後面において、複数の第２透過部１２１１のそれぞれの縁から後方へ突出していることが好ましい（図５参照）。さらに、複数の第２筒部１２１２のそれぞれは、円管状であって、かつ、後方に向かうに連れて管径を小さくした形状に形成されていることが好ましい（図５参照）。第２光制御部材１２１は、３つの第２ボス１２１３をさらに有していることが好ましい（図１参照）。これら３つの第２ボス１２１３は、半円筒形状であって、第２遮光部１２１０の後面から後方へ突出ている。なお、第２遮光部１２１０、複数の第２筒部１２１２及び３つの第２ボス１２１３は、合成樹脂によって一体に形成されていることが好ましい。また、複数の第２透過部１２１１及び複数の第２筒部１２１２の内周面は、シボ（微細な凹凸：surface texture）などが形成されて光を拡散するように構成されていることが好ましい。
【００１７】
支持部材１４は、ベース部１４０と、複数（図示例では５つ）の支柱１４１とを有している（図１参照）。なお、ベース部１４０と５つの支柱１４１は、アルミダイカストによって一体に形成されていることが好ましい。ベース部１４０は、矩形の板状に形成されている。ベース部１４０は、第１レンズ１１０と同数（２２個）の円形の貫通孔１４２を有している（図１参照）。また、ベース部１４０は、４つの段部１４３を有している（図１参照）。これら４つの段部１４３のそれぞれは、ベース部１４０の四隅から１段ずつ後退するように、ベース部１４０と一体に形成されている。さらに、ベース部１４０は、２つのボスを有している。一方のボスは、ベース部１４０の右上隅における後面から後方へ突出している。他方のボスは、矩形板状の突片１４５の後面から後方へ突出している。なお、突片１４５は、ベース部１４０の下端における左右方向のほぼ中央から下向きに突出している。これら２つのボスは、前後方向に貫通するボルト挿通孔１４４を有している。５つの支柱１４１は、ベース部１４０の四隅及びベース部１４０のほぼ中央から前方へ突出している。これら５つの支柱１４１のそれぞれの先端（前端）には、雌ねじ（ねじ孔）１４１０が形成されている（図１参照）。
【００１８】
上述したＬＥＤモジュール１０、第１レンズ部材１１、光制御部材１２及び第２レンズ部材１３は、図２〜図５に示すように、支持部材１４にねじ止めされている。ＬＥＤモジュール１０は、後方から支持部材１４のベース部１４０に支持されている。すなわち、ベース部１４０の２つのボルト挿通孔１４４に、２本のボルト１４６がそれぞれ前方から挿通されている。これら２本のボルト１４６のそれぞれは、プリント配線板１０１に設けられている２つの孔１０１１に挿通され、プリント配線板１０１の後面（非実装面）側でナットとはめ合わされ、かつ、締め付けられている。つまり、ＬＥＤモジュール１０のプリント配線板１０１は、２組のボルト１４６とナットによって、ベース部１４０にねじ止め（ねじ締結）されている（図２参照）。ここで、ＬＥＤモジュール１０の複数のＬＥＤ１００のそれぞれは、前方から見て、ベース部１４０の複数の貫通孔１４２のそれぞれのほぼ中心に位置している。
【００１９】
第１レンズ部材１１は、前方から支持部材１４のベース部１４０に支持されている。ただし、第１レンズ部材１１の複数の第１レンズ１１０のそれぞれが、ベース部１４０の複数の貫通孔１４２に１つずつ挿通されている（図５参照）。第１レンズ部材１１の第１支持部１１３に設けられている３つの孔１１３０（図１参照）に、３本のねじがそれぞれ挿通されている。これら３本のねじのそれぞれは、ベース部１４０に設けられている３つの雌ねじ部１４００（図１参照）とはめ合わされ、かつ、締め付けられている。つまり、第１レンズ部材１１は、３本のねじによって、ベース部１４０にねじ止め（ねじ締結）されている（図３〜図５参照）。ここで、複数の第１レンズ１１０のそれぞれの中心は、前方から見て、複数のＬＥＤ１００の樹脂部１０００の中心とほぼ重なっている。
【００２０】
第１光制御部材１２０は、第１レンズ部材１１の前方から支持部材１４のベース部１４０に支持されている。第１光制御部材１２０の第１遮光部１２００に設けられている４つの孔に、４本のねじがそれぞれ挿通されている。これら４本のねじのそれぞれは、第１レンズ部材１１の第１支持部１１３に設けられている４つの孔１１３１に挿通されている。さらに、これら４本のねじのそれぞれは、ベース部１４０に設けられている４つの雌ねじ部１４０１（図１参照）とはめ合わされ、かつ、締め付けられている。つまり、第１光制御部材１２０は、４本のねじによって、第１レンズ部材１１を介して、ベース部１４０にねじ止め（ねじ締結）されている（図３〜図５参照）。ここで、複数の第１透過部１２０１のそれぞれの中心は、前方から見て、複数の第１レンズ１１０のそれぞれの中心とほぼ重なっている。
【００２１】
第２光制御部材１２１は、第１光制御部材１２０の前方から支持部材１４の５つの支柱１４１と、第１光制御部材１２０の３つの第１ボス１２０３とに支持されている（図３〜図５参照）。第２光制御部材１２１の３つの第２ボス１２１３が、第１光制御部材１２０の３つの第１ボス１２０３とねじ締結されている。また、第２光制御部材１２１の第２遮光部１２１０に設けられている５つの孔１２１４に、５本のねじ１２１５がそれぞれ挿通されている。これら５本のねじ１２１５のそれぞれは、第２遮光部１２１０に設けられている５つの孔１２１４に挿通されている。さらに、これら５本のねじ１２１５のそれぞれは、５つの支柱１４１の先端の雌ねじ１４１０とはめ合わされ、かつ、締め付けられている。なお、ベース部１４０の中央から突出する支柱１４１は、第１レンズ部材１１の第１支持部１１３の中央に設けられている孔１１３２、および、第１光制御部材１２０の第１遮光部１２００の中央に設けられている孔１２０４に挿通されている。ここで、複数の第２透過部１２１１のそれぞれの中心は、前方から見て、複数の第１レンズ１１０のそれぞれの中心とほぼ重なっている。
【００２２】
第２レンズ部材１３は、第２光制御部材１２１の前方から、支持部材１４の５つの支柱１４１に支持されている（図２〜図５参照）。第２レンズ部材１３の第２支持部１３１の四隅及び中央にそれぞれ設けられている５つの孔１３２（図１参照）に、５本のねじ１２１５のそれぞれが挿通されている。つまり、第２レンズ部材１３は、第２光制御部材１２１とともに、５本のねじ１２１５によって、５つの支柱１４１にねじ止め（ねじ締結）されている（図２参照）。ここで、複数の第２レンズ１３０のそれぞれの中心は、前方から見て、第１レンズ１１０のそれぞれの中心とほぼ重なっている。
【００２３】
ＬＥＤ１００から放射される放射光Ｌ１〜Ｌ３のうち、第１レンズ１１０の第１集光部１１１に入射した放射光Ｌ１は、図６に示すように、第１集光部１１１で集光されて第１レンズ１１０から出射する。ＬＥＤ１００から放射される放射光Ｌ１〜Ｌ３のうち、第１集光部１１１で集光されない放射光Ｌ２、Ｌ３は、第１反射部１１２で反射（内部全反射）されて第１レンズ１１０から出射する。これらの放射光（反射光）Ｌ２、Ｌ３は、第１集光部１１１で集光されて第１レンズ１１０から出射した光（集光光）と、第１透過部１２０１内で交差する（図６参照）。ただし、第１反射部１１２で反射されて第１レンズ１１０から出射する反射光のうち、第１透過部１２０１及び第２透過部１２１１を透過（通過）しない反射光は、第１遮光部１２００、第１筒部１２０２、第２遮光部１２１０又は第２筒部１２１２に遮光される。第１透過部１２０１及び第２透過部１２１１を透過（通過）した光（集光光及び反射光）は、第２レンズ１３０に入射する。そして、第２レンズ１３０に入射した光（集光光及び反射光）は、第２レンズ１３０から出射する際に屈折する（図６参照）。つまり、第２レンズ１３０から出射する光は、光制御部材１２によって不要な光（周辺の光）がカット（遮光）されているので、周辺（エッジ）の輝度むらが抑制されている。さらに、第２レンズ１３０から出射する光は、第２レンズ１３０によって配光が制御されている。
【００２４】
したがって、照明装置Ｘ１は、第１レンズ１１０の集光部１１１で集光されない放射光を反射部１１２に反射させることによって、ＬＥＤ１００から放射される光の利用効率の向上を図ることができる。さらに、照明装置Ｘ１は、反射部１１２で反射される反射光のうちで不要な反射光を第１遮光部１２００及び第２遮光部１２１０で遮光することにより、第２レンズ１３０から出射する光の均斉度（照射面における照度の均一度合）の向上を図ることができる。また、照明装置Ｘ１は、２つの光制御部材（第１光制御部材１２０と第２光制御部材１２１）を有しているため、１つの光制御部材１２０だけでは遮光しきれない不要光を、２つの光制御部材１２０、１２１で遮光することができる。その結果、照明装置Ｘ１は、１つの光制御部材しか有しない場合と比較して、照明光の均斉度の更なる向上を図ることができる。さらに、照明装置Ｘ１は、第１透過部１２０１を透過した反射光のうちで、隣接する他の第２透過部１２１１に向かって進行する反射光を、第１筒部１２０２及び第２筒部１２１２で遮光することができる。ゆえに、照明装置Ｘ１は、第１筒部１２０２と第２筒部１２１２を有しない場合と比較して、照明光の均斉度の更なる向上を図ることができる。さらに、照明装置Ｘ１は、第２透過部１２１１に不要な光が入ることを抑制して、ハレーションの発生を防ぐことができる。
【００２５】
上述のように照明装置Ｘ１は、ＬＥＤモジュール１０と、第１レンズ部材１１と、第２レンズ部材１３と、光制御部材１２とを備えている。ＬＥＤモジュール１０は、プリント配線板１０１と、プリント配線板１０１の実装面に実装されている複数のＬＥＤ１００とを有している。第１レンズ部材１１は、複数の第１レンズ１１０と、複数の第１レンズ１１０を支持する第１支持部１１３とを有している。複数の第１レンズ１１０のそれぞれは、集光部１１１と反射部１１２とを有している。複数の第１レンズ１１０の集光部１１１のそれぞれは、複数のＬＥＤ１００のなかで、対応する１つのＬＥＤ１００から放射される放射光を集光する。また、複数の第１レンズ１１０の反射部１１２のそれぞれは、集光部１１１の周囲に配置されている。さらに、反射部１１２は、集光部１１１で集光されない放射光を、集光部１１１で集光された集光光と交差する向きに反射するように構成されている。光制御部材１２は、集光光及び反射部１１２で反射された反射光を透過させない遮光部（第１遮光部１２００）と、遮光部（第１遮光部１２００）に囲われている複数の透過部（第１透過部１２０１）とを有している。複数の透過部（第１透過部１２０１）のそれぞれは、複数の第１レンズ１１０のなかで、対応する１つの第１レンズ１１０から出射される集光光及び反射光を透過させるように構成されている。第２レンズ部材１３は、複数の第２レンズ１３０と、複数の第２レンズ１３０を支持する第２支持部１３１とを有している。複数の第２レンズ１３０のそれぞれは、複数の透過部（第１透過部１２０１）のなかで、対応する１つの透過部（第１透過部１２０１）を透過した集光光及び反射光を屈折させるように構成されている。
【００２６】
照明装置Ｘ１が上述のように構成されれば、第１レンズ１１０の集光部１１１で集光されない放射光を反射部１１２に反射させ、ＬＥＤ１００から放射される光の利用効率の向上を図ることができる。さらに、照明装置Ｘ１は、反射部１１２で反射される反射光のうちで不要な反射光を第１遮光部１２００及び第２遮光部１２１０で遮光することによって、第２レンズ１３０から出射する照明光の均斉度の向上を図ることができる。
【００２７】
また、照明装置Ｘ１において、光制御部材１２は、第１レンズ部材１１と対向する位置に配置されている第１光制御部材１２０と、第２レンズ部材１３と対向する位置に配置されている第２光制御部材１２１とを少なくとも含むことが好ましい。第１光制御部材１２０は、集光光及び反射光を透過させない第１遮光部１２００と、第１遮光部１２００に囲われている複数の第１透過部１２０１とを有することが好ましい。複数の第１透過部１２０１のそれぞれは、複数の第１レンズ１１０のなかで、対応する１つの第１レンズ１１０から出射される集光光及び反射光を透過させるように構成されることが好ましい。第２光制御部材１２１は、集光光及び反射光を透過させない第２遮光部１２００と、第２遮光部１２００に囲われている複数の第２透過部１２１１とを有することが好ましい。複数の第２透過部１２１１のそれぞれは、複数の第１透過部１２０１のなかで、対応する１つの第１透過部１２０１を透過した集光光及び反射光をさらに透過させるように構成されていることが好ましい。
【００２８】
照明装置Ｘ１が上述のように構成されれば、１つの光制御部材だけでは遮光しきれない不要光を、２つの光制御部材（第１光制御部材１２０及び第２光制御部材１２１）で遮光することができる。その結果、照明装置Ｘ１は、１つの光制御部材しか有しない場合と比較して、照明光の均斉度の更なる向上を図ることができる。
【００２９】
さらに、照明装置Ｘ１において、第１光制御部材１２０は、複数の第１筒部１２０２を有することが好ましい。複数の第１筒部１２０２のそれぞれは、第１遮光部１２００から第２光制御部材１２１に向かって突出するように形成されることが好ましい。さらに、複数の第１筒部１２０２のそれぞれは、複数の第１透過部１２０１のなかで、対応する１つの第１透過部１２０１を囲うように筒状に形成されていることが好ましい。第２光制御部材１２１は、複数の第２筒部１２１２を有することが好ましい。複数の第２筒部１２１２のそれぞれは、第２遮光部１２１０から第１光制御部材１２０に向かって突出するように形成されることが好ましい。さらに、複数の第２筒部１２１２のそれぞれは、複数の第２透過部１２１１のなかで、対応する１つの第２透過部１２１１を囲うように筒状に形成されていることが好ましい。
【００３０】
照明装置Ｘ１が上述のように構成されれば、第１透過部１２０１を透過した反射光のうちで、隣接する他の第２透過部１２１１に向かって進行する反射光を、第１筒部１２０２及び第２筒部１２１２で遮光することができる。その結果、照明装置Ｘ１は、第１筒部１２０２と第２筒部１２１２を有しない場合と比較して、照明光の均斉度の更なる向上を図ることができる。
【００３１】
ところで、複数の第２筒部１２１２のそれぞれは、複数の第１筒部１２０２から前後方向に所定の間隔ｄ１を空けて配置されている（図３参照）。ただし、複数の第２筒部１２１２のそれぞれは、図７及び図８に示すように、複数の第１筒部１２０２と間隔を空けずに接していても構わない。図７及び図８に示す実施形態１の変形例に係る照明装置Ｘ２は、複数の第１筒部１２０２のそれぞれの前端と、複数の第２筒部１２１２のそれぞれの後端とが接している。変形例に係る照明装置Ｘ２においても、実施形態１に係る照明装置Ｘ１と同様に、第１透過部１２０１を透過した反射光のうちで、隣接する他の第２透過部１２１１に向かって進行する反射光を、第１筒部１２０２及び第２筒部１２１２で遮光することができる。
【００３２】
しかしながら、変形例に係る照明装置Ｘ２が屋外で使用される場合、第２レンズ１３０で集光される太陽光により、第１筒部１２０２の前端部分及び第２筒部１２１２の後端部分の温度が大きく上昇する可能性がある。そして、第１筒部１２０２及び第２筒部１２１２が熱可塑性樹脂（例えば、ポリブチレンテレフタレート樹脂）で形成されている場合、温度上昇によって第１筒部１２０２及び第２筒部１２１２が変形する可能性がある。特に、光の反射を抑制するため、複数の第２筒部１２１２が、光（太陽光）を吸収しやすい色（例えば、黒色）に着色されているので、より温度が上昇し易いと考えられる。
【００３３】
そこで、実施形態１に係る照明装置Ｘ１は、複数の第２筒部１２１２のそれぞれを、複数の第１筒部１２０２から所定の間隔ｄ１を空けて配置することにより、第２筒部１２１２の後端部分の温度上昇を抑えている。さらに、実施形態１に係る照明装置Ｘ１において、複数の第１筒部１２０２を含む第１光制御部材１２０が、黒色よりも太陽光を吸収しにくい色（例えば、白色）に着色されていることが好ましい。複数の第１筒部１２０２のそれぞれの表面が白色に着色されていることにより、照明装置Ｘ１は、第１筒部１２０２の前端部分の温度上昇を抑えることができる。ただし、第１光制御部材１２０は、太陽光の透過率が低く、かつ、反射率の高い合成樹脂材料で形成されてもよい。
【００３４】
上述のように照明装置Ｘ１において、複数の第２筒部１２１２のそれぞれは、複数の第１筒部１２０２のなかで、対応する１つの第１筒部１２０２と、所定の間隔ｄ１を空けて対向していることが好ましい。
【００３５】
照明装置Ｘ１が上述のように構成されれば、第２レンズ１３０から太陽光が入射した場合であっても、第２筒部１２１２の温度上昇を抑えることができる。
【００３６】
さらに、照明装置Ｘ１において、複数の第１筒部１２０２のそれぞれの表面の色は、少なくとも黒色に比べて太陽光を吸収しにくい色であることが好ましい。
【００３７】
照明装置Ｘ１が上述のように構成されれば、第２レンズ１３０から太陽光が入射した場合であっても、第１筒部１２０２の温度上昇を抑えることができる。
【００３８】
ところで、第１透過部１２０１及び第２透過部１２１１は、必ずしも円形の孔である必要はない。第１透過部１２０１及び第２透過部１２１１の少なくともいずれか一方は、円形以外の形状、例えば、半円形や多角形、星形などの形状に形成されてもよい。例えば、複数の第１透過部１２０１のそれぞれが半円形に形成されている場合、第２レンズ１３０から出射される照明光の形状（照射面における照明光の輪郭）も半円形となる。
【００３９】
上述のように照明装置Ｘ１において、第１透過部１２０１及び第２透過部１２１１の少なくともいずれか一方が、集光光及び反射光の一部を遮光する形状に形成されていることが好ましい。
【００４０】
照明装置Ｘ１が上述のように構成されれば、第１透過部１２０１又は第２透過部１２１１の形状を変更することによって、第２レンズ１３０から出射される照明光の形状を容易に変更することができる。
【００４１】
ところで、照明装置Ｘ１は、図９Ａ及び図９Ｂに示すように、照明器具（投光器）Ｙ１の光源に用いられることが好ましい。照明器具Ｙ１は、器具本体２、アーム３、電源ユニット４などを備えることが好ましい。器具本体２は、筐体２０と、カバー２１とを有することが好ましい。筐体２０は、ステンレス鋼板などの金属板により、前面が開放された箱状に形成されている。カバー２１は、枠体２２と、パネル２３とを有している。枠体２２は、ステンレス鋼板などの金属板により、矩形の枠状に形成されている。パネル２３は、透光性を有する合成樹脂（アクリル樹脂又はポリカーボネート樹脂）やガラスにより、矩形の平板状に形成されている。パネル２３は、枠体２２に支持されている。カバー２１は、筐体２０の前面を覆うように筐体２０に取り付けられている。アーム３は、ステンレス鋼板などの金属板によってＵ字状に形成されている。アーム３の両端は、筐体２０の側壁にそれぞれねじ止めされている。つまり、筐体２０（器具本体２）は、アーム３によって回転可能に支持されている。電源ユニット４は、金属製のケース４０と、ケース４０内に収容されている電源装置とを有している。電源装置は、例えば、交流の電力系統から供給される交流電力を直流電力に変換する。ケース４０は、筐体２０の後面に取り付けられている（図９Ｂ参照）。
【００４２】
筐体２０は、図９Ａに示すように、照明ユニット１を収容している。照明ユニット１は、図１０に示すように、４台の照明装置Ｘ１と、取付板１５と、複数の電源ケーブル１６とを備えている。取付板１５は、アルミ板や亜鉛鋼板などの金属板によって、矩形の平板状に形成されている。４台の照明装置Ｘ１は、上下左右に隣り合うように並べて、取付板１５の前面に取り付けられている。ここで、４台の照明装置Ｘ１のそれぞれは、支持部材１４の４つの段部１４３が取付板１５にねじ止め（ねじ締結）されている。電源ケーブル１６は、複数本（図示例では４本）の電線と、これら４本の電線の先端に設けられているプラグコネクタとを有している。電源ケーブル１６は、ＬＥＤモジュール１０のレセプタクルコネクタ１０２と接続されている。そして、これら４台の照明装置Ｘ１は、電源ケーブル１６を介して電源ユニット４から直流電力が給電されている。
【００４３】
（実施形態２）
実施形態２に係る照明装置Ｘ３（以下、照明装置Ｘ３と略す）は、図１１に示すように、ＬＥＤモジュール５０と、第１レンズ部材５１と、光制御部材５２と、第２レンズ部材５３とを備えている。また、照明装置Ｘ３は、第１移動レンズ部材５４、第２移動レンズ部材５５、第３移動レンズ部材５６を備えることが好ましい。なお、以下の説明では、特に断りのない限り、図１１及び図１２において、前後、左右、上下の各方向が規定されている。
【００４４】
ＬＥＤモジュール５０は、矩形板状のプリント配線板５０１と、複数個（図示例では８５個）のＬＥＤ５００とを有している（図１１参照）。ただし、ＬＥＤ５００の個数は８５個に限定されない。プリント配線板５０１の四隅に、それぞれ円形の孔５０３が形成されている。なお、複数個のＬＥＤ５００のそれぞれは、実施形態１に係る照明装置Ｘ１におけるＬＥＤ１００と共通の構成を有している。これら複数個のＬＥＤ５００は、プリント配線板５０１の前面に形成されているパッドにはんだ接合されることによって、プリント配線板５０１の前面（以下、実装面という）に実装されている。また、プリント配線板５０１の実装面には、レセプタクルコネクタ５０２が実装されることが好ましい（図１１参照）。レセプタクルコネクタ５０２は、プリント配線板５０１の実装面に形成されているプリント配線（導体）を介して、複数個のＬＥＤ５００と電気的に接続されている。
【００４５】
第１レンズ部材５１は、ＬＥＤ５００と同数の第１レンズ（図示せず）と、第１支持部５１０とを有している（図１１参照）。なお、これら複数個の第１レンズのそれぞれは、実施形態１に係る照明装置Ｘ１における第１レンズ１１０と共通の構成を有している。第１支持部５１０は、複数の第１レンズを支持している。第１支持部５１０は、おおむね矩形平板状に形成されている。複数個の第１レンズと第１支持部５１０は、アクリル樹脂などの透光性を有する合成樹脂材料によって一体に形成されていることが好ましい。なお、第１支持部５１０の四隅に、それぞれ円形の孔５１１が形成されている。
【００４６】
第２レンズ部材５３は、ＬＥＤ５００と同数の第２レンズ５３０と、第２支持部５３１とを有している（図１１参照）。第２支持部５３１は、複数の第２レンズ１３０を支持している。第２支持部５３１は、おおむね矩形平板状に形成されている。これら複数個の第２レンズ５３０はそれぞれ、両凸レンズであることが好ましい。複数個の第２レンズ５３０と第２支持部５３１は、アクリル樹脂などの透光性を有する合成樹脂材料によって一体に形成されていることが好ましい。なお、第２支持部５３１の四隅に、それぞれ円形の孔５３２が形成されている。
【００４７】
光制御部材５２は、少なくとも、第１光制御部材５２０と第２光制御部材５２１とを含むことが好ましい（図１１参照）。第１光制御部材５２０は、第１遮光部５２００と、第１レンズと同数（８５個）の第１透過部５２０１とを有している。第１遮光部５２００は、ＬＥＤ５００から放射される光を透過しない材料（例えば、透光性を有しない合成樹脂）によって、平板状に形成されていることが好ましい。複数の第１透過部５２０１のそれぞれは、第１遮光部５２００を厚み方向に貫通する円形の孔であることが好ましい（図１１参照）。なお、第１遮光部５２００の四隅に、それぞれ円形の孔５２０２が形成されている。
【００４８】
第２光制御部材５２１は、第２遮光部５２１０と、第１透過部５２０１と同数の第２透過部５２１１及び第３透過部５２１２を有している。第２遮光部５２１０は、ＬＥＤ５００から放射される光を透過しない材料（例えば、透光性を有しない合成樹脂）によって、平板状に形成されていることが好ましい。複数の第２透過部５２１１のそれぞれは、第２遮光部５２１０を厚み方向に貫通する円形の孔であることが好ましい（図１１参照）。また、複数の第３透過部５２１２のそれぞれは、第２遮光部５２１０を厚み方向に貫通し、かつ、第２透過部５２１１よりも径が小さい円形の孔であることが好ましい（図１１参照）。なお、第２遮光部５２１０の四隅に、それぞれ長円形の孔５２１３が形成されている。これらの孔５２１３はそれぞれ、長軸を左右方向に一致させるように形成されている。
【００４９】
第１移動レンズ部材５４は、ＬＥＤ５００と同数の第１移動レンズ５４０と、第１移動支持部５４１とを有している（図１１参照）。第１移動支持部５４１は、複数の第１移動レンズ５４０を支持している。第１移動支持部５４１は、おおむね六角形状に形成されている。これら複数個の第１移動レンズ５４０はそれぞれ、凹レンズであることが好ましい。複数個の第１移動レンズ５４０と第１移動支持部５４１は、アクリル樹脂などの透光性を有する合成樹脂材料によって一体に形成されていることが好ましい。
【００５０】
第２移動レンズ部材５５は、ＬＥＤ５００と同数の第２移動レンズ５５０と、第２移動支持部５５１とを有している（図１１参照）。第２移動支持部５５１は、複数の第２移動レンズ５５０を支持している。第２移動支持部５５１は、おおむね六角形状に形成されている。これら複数個の第２移動レンズ５５０はそれぞれ、両凸レンズであることが好ましい。複数個の第２移動レンズ５５０と第２移動支持部５５１は、アクリル樹脂などの透光性を有する合成樹脂材料によって一体に形成されていることが好ましい。
【００５１】
第３移動レンズ部材５６は、ＬＥＤ５００と同数の第３移動レンズと、第３移動支持部５６０とを有している（図１１参照）。第３移動支持部５６０は、複数の第３移動レンズを支持している。第３移動支持部５６０は、おおむね六角形状に形成されている。これら複数個の第３移動レンズはそれぞれ、凹レンズであることが好ましい。複数個の第３移動レンズと第３移動支持部５６０は、アクリル樹脂などの透光性を有する合成樹脂材料によって一体に形成されていることが好ましい。
【００５２】
ＬＥＤ５００から放射される放射光のうち、第１レンズに入射した放射光の一部は、集光されて第１レンズから出射する。ＬＥＤ５００から放射される放射光のうち、第１レンズで集光されない放射光は、第１レンズ内で反射（内部全反射）されて第１レンズから出射する。これらの放射光（反射光）は、集光された光（集光光）と、第１透過部５２０１内で交差する。ただし、第１レンズから出射する反射光のうち、光制御部材５２の透過部（第１透過部５２０１と、第２透過部５２１１又は第３透過部５２１２と）を透過（通過）しない反射光は、第１遮光部５２００又は第２遮光部５２１０に遮光される。第１透過部５２０１及び第２透過部５２１１（又は第３透過部５２１２）を透過（通過）した光（集光光及び反射光）は、第２レンズ５３０に入射する。そして、第２レンズ５３０に入射した光（集光光及び反射光）は、第２レンズ５３０から出射する際に屈折する。つまり、第２レンズ５３０から出射する光は、光制御部材５２によって不要な光（周辺の光）がカット（遮光）されているので、周辺（エッジ）の輝度むらが抑制されている。また、第２レンズ５３０から出射する光は、第２レンズ５３０によって配光が制御されている。
【００５３】
さらに、第２レンズ５３０から出射する光は、第１移動レンズ５４０、第２移動レンズ５５０、第３移動レンズから出射する際に、それぞれ屈折する。第１移動レンズ５４０、第２移動レンズ５５０及び第３移動レンズは、第２レンズ５３０から出射される光のビーム径を拡大したり、収差を補正するように構成されている。
【００５４】
ここで、第１移動レンズ部材５４及び第２移動レンズ部材５５は、移動機構７により、第２レンズ部材５３との距離（間隔）を伸縮するように移動可能に構成されていることが好ましい。さらに、第３移動レンズ部材５６は、同じく移動機構７により、第１移動レンズ部材５４及び第２移動レンズ部材５５との距離（間隔）を伸縮するように移動可能に構成されていることが好ましい。以下、図１２〜図１４を参照して、照明装置Ｘ３における移動機構７を詳細に説明する。
【００５５】
照明装置Ｘ３は、移動機構７とともに筐体６を備えていることが好ましい。筐体６は、図１２〜図１４に示すように、底板６０、天板６１、前板６２、後板６３及び中間板６４を備えていることが好ましい。底板６０及び天板６１はそれぞれ、矩形板状の金属板で構成されている。ただし、天板６１は、底板６０よりも前後方向の長さが短い（図１２参照）。前板６２、後板６３及び中間板６４はそれぞれ、アルミダイカストによって矩形板状に形成されていることが好ましい。後板６３の後面にＬＥＤモジュール５０と放熱部材６５がねじ止めされている。後板６３は、ＬＥＤ５００と同数の孔（図示せず）を有している。これらの孔はそれぞれ、後板６３を前後方向に貫通している。そして、第１レンズ部材５１の複数個の第１レンズのそれぞれが、後板６３の複数個の孔に挿通されている。前板６２は、厚み方向（前後方向）に貫通する、円形の窓孔６２０を有している。同様に、中間板６４は、厚み方向（前後方向）に貫通する、円形の窓孔６４０を有している（図１２参照）。前板６２が底板６０の前端と天板６１の前端にそれぞれねじ止めされている。また、後板６３が底板６０の後端よりの位置と天板６１の後端にそれぞれねじ止めされている。さらに、中間板６４は、底板６０及び天板６１の前後方向における中間の位置にそれぞれねじ止めされている。
【００５６】
移動機構７は、第１ホルダ７０、第２ホルダ７１、４本の軸７２及び８つのリニア軸受７３などで構成されている。第１ホルダ７０は、アルミダイカストによって、矩形の枠状に形成されている。また、第１ホルダ７０は、厚み方向（前後方向）に貫通する、円形の窓孔（図示せず）を有している。第１ホルダ７０の前面に、第１移動レンズ部材５４と第２移動レンズ部材５５がねじ止めされている。なお、前方から見て、第１移動レンズ部材５４の複数の第１移動レンズ５４０及び第２移動レンズ部材５５の複数の第２移動レンズ５５０が、第１ホルダ７０の窓孔内に位置している。また、第１ホルダ７０の上面に、逆Ｕ字形状のハンドル７４が取り付けられている。ただし、ハンドル７４の両端は、図１２に示すように、天板６１に設けられている一対の溝６１０に挿通されている。
【００５７】
第２ホルダ７１は、アルミダイカストによって、矩形の枠状に形成されている。また、第２ホルダ７１は、厚み方向（前後方向）に貫通する、円形の窓孔７１０を有している（図１２参照）。第２ホルダ７１の後面に、第３移動レンズ部材５６がねじ止めされている。なお、前方から見て、第３移動レンズ部材５６の複数の第３移動レンズが、第２ホルダ７１の窓孔７１０内に位置している。また、第２ホルダ７１の上面に、逆Ｕ字形状のハンドル７５が取り付けられている。ただし、ハンドル７５の両端は、図１２に示すように、天板６１に設けられている一対の溝６１１に挿通されている。
【００５８】
ここで、第１ホルダ７０の四隅と第２ホルダ７１の四隅に、それぞれ４つのリニア軸受７３がねじ止めされている。リニア軸受７３は、一端に鍔（フランジ）７３０を有する円筒形状の保持器、保持器に保持されている複数個の転動体などで構成されている。複数のリニア軸受７３はそれぞれ、第１ホルダ７０の四隅及び第２ホルダ７１の四隅に設けられている孔（前後方向に貫通する孔）に保持器が挿入される。そして、複数のリニア軸受７３の鍔７３０がそれぞれ、第１ホルダ７０及び第２ホルダ７１にねじ止めされている。
【００５９】
４本の軸７２はそれぞれ、ステンレス鋼材などの金属材によって、長尺の円柱形状に形成されている。そして、これら４本の軸７２のそれぞれの前端が、前板６２の四隅にねじ止めされている。また、これら４本の軸７２のそれぞれの後端が、後板６３の四隅にねじ止めされている。さらに、これら４本の軸７２はそれぞれ、中間板６４の四隅に貫通している孔（図示せず）に挿通されている。つまり、これら４本の軸７２は、前方から見て、底板６０及び天板６１と平行、かつ、前板６２、中間板６４及び後板６３と直交するように、筐体６の四隅に配置されている（図１２〜図１４参照）。なお、これら４本の軸７２はそれぞれ、ＬＥＤモジュール５０の四隅の孔５０３、第１レンズ部材５１の四隅の孔５１１、光制御部材５２の四隅の孔５２０２、５２１３、第２レンズ部材５３の四隅の５３２に挿通されている。
【００６０】
さらに、これら４本の軸７２は、第１ホルダ７０に取り付けられている４つのリニア軸受７３、並びに、第２ホルダ７１に取り付けられている４つのリニア軸受７３に装着されている（図１２参照）。したがって、第１ホルダ７０及び第２ホルダ７１は、前板６２と中間板６４に挟まれた空間において、リニア軸受７３によって、４本の軸７２に沿って前後方向に移動可能に配置されている。
【００６１】
ここで、第１ホルダ７０と第２ホルダ７１は、２つの連結部材７６によって連結されている。２つの連結部材７６はそれぞれ、図１４に示すように、長尺の棒状に形成されている。２つの連結部材７６はそれぞれ、第１案内孔７６０と、第２案内孔７６１とを有している。第１案内孔７６０は、連結部材７６の後端部分を上下方向に貫通する長円形状に形成されている。第２案内孔７６１は、連結部材７６の前端部分を上下方向に貫通する長円形状に形成されている。ただし、第２案内孔７６１は、第１案内孔７６０よりも長軸を長くするように形成されている（図１４参照）。一方の連結部材７６は、ボルト７７及びナット（図示せず）により、ボルト７７を中心として回転可能となるように、天板６１に取り付けられている。他方の連結部材７６は、ボルト及びナット（図示せず）により、ボルトを中心として回転可能となるように、底板６０に取り付けられている。また、天板６１に取り付けられている連結部材７６の第１案内孔７６０には、第１ホルダ７０の上面から突出する第１ピン７００が挿通されている。さらに、天板６１に取り付けられている連結部材７６の第２案内孔７６１には、第２ホルダ７１の上面から突出する第２ピン７１１が挿通されている。さらに、底板６０に取り付けられている連結部材７６の第１案内孔には、第１ホルダ７０の下面から突出する第１ピンが挿通されている。底板６０に取り付けられている連結部材７６の第２案内孔には、第２ホルダ７１の下面から突出する第２ピンが挿通されている。
【００６２】
つまり、第２ホルダ７１が前方へ移動すると、第２ピン７１１も第２案内孔７６１内を前方へ移動する。第２ピン７１１が第２案内孔７６１内を前方へ移動すると、連結部材７６がボルト７７を中心として反時計回りに回転する。連結部材７６が反時計回りに回転すると、第１ピン７００が第１案内孔７６０内を後方へ移動する。第１ピン７００が第１案内孔７６０内を後方へ移動することにより、第１ホルダ７０が後方へ移動する。また、第２ホルダ７１が後方へ移動すると、第２ピン７１１も第２案内孔７６１内を後方へ移動する。第２ピン７１１が第２案内孔７６１内を後方へ移動すると、連結部材７６がボルト７７を中心として時計回りに回転する。連結部材７６が時計回りに回転すると、第１ピン７００が第１案内孔７６０内を前方へ移動する。第１ピン７００が第１案内孔７６０内を前方へ移動することにより、第１ホルダ７０が前方へ移動する。このように、連結部材７６で連結されている第１ホルダ７０と第２ホルダ７１は、互いの距離（間隔）を変化させるように移動する。そして、第１ホルダ７０と第２ホルダ７１の距離が近い（間隔が狭い）ほど、第２ホルダ７１の窓孔７１０から前方へ照射される光（照明光）の照射範囲が広くなる。一方、第１ホルダ７０と第２ホルダ７１の距離が遠い（間隔が広い）ほど、照明光の照射範囲が狭くなる。なお、第１ホルダ７０及び第２ホルダ７１はそれぞれ、ハンドル７４、７５が手で前後方向に移動させられることによって、前後方向に移動する。
【００６３】
このように照明装置Ｘ３は、第１移動レンズ部材５４、第２移動レンズ部材５５及び第３移動レンズ部材５６が筐体６に対して前後方向（第２レンズ５３の光軸と平行な方向）に移動させられることにより、照射範囲を容易に変化させることができる。ただし、移動レンズ部材の数は３つに限定されず、１〜２つ又は４つ以上であっても構わない。
【００６４】
また、第２光制御部材５２１の４つの孔５２１３は、左右方向を長軸とする長円形に形成されている。そのため、第２光制御部材５２１は、４本の軸７２に支持された状態で、左右方向に移動可能に構成されている。そして、第２光制御部材５２１が右に移動した状態では、第１光制御部材５２０の第１透過部５２０１を透過した光が第２透過部５２１１を透過する。また、第２光制御部材５２１が左に移動した状態では、第１光制御部材５２０の第１透過部５２０１を透過した光が第３透過部５２１２を透過する。つまり、第２光制御部材５２１が左右方向に移動させられることにより、光を通過させる孔（絞り）の径が変化する。その結果、照明装置Ｘ３は、第２透過部５２１１と第３透過部５２１２が択一的に切り替えられることにより、照明光の照射範囲を変化させることができる。なお、第２透過部５２１１と第３透過部５２１２は、円形以外の形状の孔であってもよい。例えば、第２透過部５２１１が半円形状の孔であり、第３透過部５２１２が円形状の孔であれば、照明装置Ｘ３は、照明光（の照射範囲）の形状を半円形と円形とに切り替えることができる。
【００６５】
上述のように照明装置Ｘ３において、移動レンズ部材（第１移動レンズ部材５４、第２移動レンズ部材５５及び第３移動レンズ部材５６）と、移動レンズ部材を集光光及び反射光の進行方向に沿って移動させる移動機構７とを備えることが好ましい。移動レンズ部材は、複数の移動レンズ（第１移動レンズ５４０、第２移動レンズ５５０及び第３移動レンズ）と、複数の移動レンズを支持する移動支持部（第１移動支持部５４１、第２移動支持部５５１及び第３移動支持部５６１）とを有することが好ましい。複数の移動レンズのそれぞれは、複数の第２レンズ５３０のなかで、対応する１つの第２レンズ５３０で屈折された集光光及び反射光をさらに屈折させるように構成されていることが好ましい。
【００６６】
照明装置Ｘ３が上述のように構成されれば、移動レンズ部材が移動させられることにより、照射範囲を容易に変化させることができる。
【符号の説明】
【００６７】
Ｘ１、Ｘ２、Ｘ３  照明装置
７  移動機構
１０、５０  ＬＥＤモジュール
１１、５１  第１レンズ部材
１２、５２  光制御部材
１３、５３  第２レンズ部材
５４  第１移動レンズ部材（移動レンズ部材）
５５  第２移動レンズ部材（移動レンズ部材）
５６  第３移動レンズ部材（移動レンズ部材）
１００、５００  ＬＥＤ
１０１、５０１  プリント配線板
１１０  第１レンズ
１１１  集光部
１１２  反射部
１１３  第１支持部
１２０、５２０  第１光制御部材
１２１、５２１  第２光制御部材
１３０、５３０  第２レンズ
１３１、５３１  第２支持部
５４０  第１移動レンズ（移動レンズ）
５４１  第１移動支持部（移動支持部）
５５０  第２移動レンズ（移動レンズ）
５５１  第２移動支持部（移動支持部）
５６０  第３移動支持部（移動支持部）
１２００、５２００  第１遮光部
１２０１、５２１０  第１透過部
１２０２  第１筒部
１２１０、５２１０  第２遮光部
１２１１、５２１１  第２透過部
１２１２  第２筒部
【図１】
0006646842.tif 000002
【図２】
0006646842.tif 000003
【図３】
0006646842.tif 000004
【図４】
0006646842.tif 000005
【図５】
0006646842.tif 000006
【図６】
0006646842.tif 000007
【図７】
0006646842.tif 000008
【図８】
0006646842.tif 000009
【図９】
0006646842.tif 000010
【図１０】
0006646842.tif 000011
【図１１】
0006646842.tif 000012
【図１２】
0006646842.tif 000013
【図１３】
0006646842.tif 000014
【図１４】
0006646842.tif 000015